(57)【特許請求の範囲】
【請求項１】
タンクレールを上面が開口した断面コ字形の樋状に形成すると共に、該タンクレールの前後側壁に透孔を有する支持部を形成し、
球整流板の後端両側に挿通孔を有する軸受部を設けると共にいずれか一方の挿通孔に該挿通孔より狭い間隔の挿入開口を設け、一方球止板の後端両側には前記挿通孔に挿通する軸を形成し、前記一方の軸を前記球整流板の一方の挿通孔に嵌挿すると共に他方の軸を前記挿入開口から挿通孔に押し込むことにより球止板を球整流板に回動自在に軸支し、さらに球止板の軸の両突出部をタンクレールの透孔に挿通することにより球整流板と球止板とをタンクレールに取付けるようにしたことを特徴とするパチンコ機のタンクレールに付設する球整流板と球止板の取付構造。
【請求項２】
タンクレールを上面が開口した断面コ字形の樋状に形成すると共に、該タンクレールの前後側壁に透孔を有する支持部を形成し、
球整流板の後端両側に挿通孔を有する軸受部を設け、一方球止板の後端両側には前記挿通孔に挿入する軸を有しかつ弾性力を付与した腕を設け、前記腕を撓ませて前記軸を球整流板の挿通孔に嵌挿することにより球止板を球整流板に回動自在に軸支し、さらに球止板の軸の両突出部をタンクレールの透孔に挿通することにより球整流板と球止板とをタンクレールに取付けるようにしたことを特徴とするパチンコ機のタンクレールに付設する球整流板と球止板の取付構造。
【発明の詳細な説明】
【０００１】
【産業上の利用分野】
本発明は、パチンコ機のタンクレールに付設する球整流板と球止板の取付構造に関するものである。
【０００２】
【従来の技術】
従来、周知のようにパチンコ機の遊技盤裏面には合成樹脂製の機構板が装着されており、該機構板の上部に球タンクが固着されている。また、球タンクの下方には該球タンクのパチンコ球をパチンコ球払出装置へ導くためのタンクレールが設けられており、該タンクレールの開口上面にパチンコ球が重なって流下しないように整流するための球整流板と、タンクレールの球流路に突入してパチンコ球の流下を止めることができる球止片を備えた球止板が設けられている。
【０００３】
ところで、前記球整流板と球止板の取付けは、例えば図９および図１０に示すようにタンクレール１００が装着される機構板１０１にねじ部１０２を有する金属製の長い軸杆１０３をナット１０４により固着し、該軸杆１０３に球整流板１０５の筒部１０６，１０６と球止板１０７の筒部１０８をそれぞれ挿通して該軸杆１０３に両板１０５，１０７を回動自在に支持し、さらに該軸杆１０３の先端に抜止め用のＥリング１０９を嵌めるようにしていた。
【０００４】
【発明が解決しようとする課題】
しかし、従来の球整流板と球止板の取付構造にあっては、球整流板と球止板とがタンクレールと別々に機構板に取付けられているため、タンクレールの傾斜勾配を変更するとその対応位置関係に狂いが生じて正しい球整流作用や球止め作用が望めなくなるという問題点があった。
【０００５】
また、金属製の軸杆やＥリングの使用により部品点数が増加してコストアップとなる上、その取付けに手間が掛かって作業能率を著しく低下させていた。
【０００６】
本発明は上記問題点をすべて解決するもので、簡単な構造でタンクレールに球整流板と球止板を直接に取付けるようにし、さらに部品点数を減少してコストダウンを図ることができるような、パチンコ機のタンクレールに付設する球整流板と球止板の取付構造を提供することを目的とする。
【０００７】
【課題を解決するための手段】
上記目的を達成するために、本発明に係るパチンコ機のタンクレールに付設する球整流板と球止板の取付構造は、タンクレールを上面が開口した断面コ字形の樋状に形成すると共に、該タンクレールの前後側壁に透孔を有する支持部を形成し、球整流板の後端両側に挿通孔を有する軸受部を設けると共にいずれか一方の挿通孔に該挿通孔より狭い間隔の挿入開口を設け、一方球止板の後端両側には前記挿通孔に挿通する軸を形成し、前記一方の軸を前記球整流板の一方の挿通孔に嵌挿すると共に他方の軸を前記挿入開口から挿通孔に押し込むことにより球止板を球整流板に回動自在に軸支し、さらに球止板の軸の両突出部をタンクレールの透孔に挿通することにより球整流板と球止板とをタンクレールに取付けるようにしたものである。
【０００８】
また、本発明に係るパチンコ機のタンクレールに付設する球整流板と球止板の取付構造は、タンクレールを上面が開口した断面コ字形の樋状に形成すると共に、該タンクレールの前後側壁に透孔を有する支持部を形成し、球整流板の後端両側に挿通孔を有する軸受部を設け、一方球止板の後端両側には前記挿通孔に挿入する軸を有しかつ弾性力を付与した腕を設け、前記腕を撓ませて前記軸を球整流板の挿通孔に嵌挿することにより球止板を球整流板に回動自在に軸支し、さらに球止板の軸の両突出部をタンクレールの透孔に挿通することにより球整流板と球止板とをタンクレールに取付けるようにしたものである。
【０００９】
【作用】
タンクレールへの球整流板と球止板の取付けは、まず球止板の軸を球整流板の挿通孔に嵌挿して該球止板を球整流板に回動自在に軸支し、しかる後に球整流板の挿通孔から突出する球止板の軸をタンクレールの透孔に挿通することによって達せられる。
【００１０】
【実施例】
以下、図面を参照して本発明の一実施例について説明する。図１は本発明が適用されるパチンコ機の裏面図、図２は機構板の斜視図である。図において、１はパチンコ機の前面枠、２は前面枠１の裏面に着脱自在に取付けられる遊技盤、３は遊技盤２の裏面に開閉自在に装着された合成樹脂製の機構板である。
【００１１】
機構板３の裏面上部には球タンク４が固着されている。球タンク４の下方には該球タンク４のパチンコ球を整列して導き出すタンクレール５が設けられる。タンクレール５の下流端は、屈曲レール６を介してパチンコ球払出装置７に接続されている。従って、球タンク４のパチンコ球はタンクレール５，屈曲レール６により整列されながらパチンコ球払出装置７に連続して供給される。また、タンクレール５の下流端近くの上方には球整流板８と球止板９が配設されている。
【００１２】
図３は本実施例の特徴となる球整流板８と球止板９の取付構造を説明するための要部斜視図、図４はタンクレール５から球整流板８と球止板９を取外した状態の斜視図、図５は図４の分解斜視図である。前記タンクレール５は、合成樹脂により機構板３に当接する後側壁１０と底部１１および前側壁１２とにより上面が開口した樋状に形成されると共に、底部１１には長手方向に仕切壁１３を設けて２条の球流路１４，１４が形成されている。そして、タンクレール５の下流端に位置する後側壁１０と前側壁１２の上端には図４に示すように互いに対向する支持部１０ａ，１２ａが一体に突設されており、それぞれの支持部１０ａ，１２ａに軸挿通用の透孔１０１ａ，１２１ａがあけられている。
【００１３】
前記球整流板８と球止板９は、それぞれ合成樹脂により一体成形されるもので、球整流板８は全体がタンクレール５の球流路１４，１４に対応する平板状に形成されており、そのタンクレール５の上流側に位置する先端部分は上方向へ緩やかに弯曲されている。そして、図５に示すようにタンクレール５の下流側に位置する後端部分の上面両側に軸受部８ａ，８ｂが設けられている。軸受部８ａ，８ｂは中心に挿通孔８１ａ，８１ｂを有している。この両軸受部８ａ，８ｂのうち一方の軸受部８ｂは軸方向の厚みが薄く形成されており、かつ挿通孔８１ｂより狭い間隔の挿入開口８１１ｂを有する。なお、８ｃは球整流板８の上面に設けられた円筒状の重錘部、８ｄ，８ｄは後述する球止板９の爪状の球止片９ｂ，９ｂを突入させるための透溝である。
【００１４】
前記球止板９は、球整流板８の両軸受部８ａ，８ｂ間に位置する２本の腕９ａ，９ｂと球整流板８の透溝８ｄ，８ｄに突入する２本の爪状の球止片９ｃ，９ｃと摘み片部９ｄとを有する。そして、２本の腕９ａ，９ｂのそれぞれ外側には軸９１ａ，９１ｂが突設されている。この一方の軸９１ａは球整流板８の軸受部８ａの軸方向の厚みより若干長く形成される。また、軸９１ｂは軸９１ａよりさらに若干長く形成されている。
【００１５】
このような構成からなる本発明において、タンクレール５への球整流板８と球止板９の取付けは、まず球止板９の一方の軸９１ａを球整流板８の軸受部８ａの挿通孔８１ａに挿入すると共に、他方の軸９１ｂを球整流板８の軸受部８ｂの挿入開口８１１ｂに当てがって挿通孔８１ｂに押し込み、これによって図４に示すように球止板９を球整流板８に回動自在に軸支する。次いで、球整流板８の軸受部８ａから突出する軸９１ａの突出端をタンクレール５の透孔１０１ａに挿通すると共に、他方の軸受部８ｂから突出する軸９１ｂの突出端をタンクレール５の透孔１２１ａに挿通することによって達せられる。
【００１６】
なお、軸９１ｂをタンクレール５の透孔１２１ａに挿通する際には、タンクレール５の前側壁１２を合成樹脂の弾性力を利用して拡開させながら行うことになる。そして、長くした軸９１ｂは球整流板８と球止板９とをタンクレール５に取付けた後にこれらがタンクレール５から外れるのを確実に防止するように機能する。また、球整流板８の一方の軸受部８ｂの厚みを薄くすることによって挿入開口８１１ｂに拡開弾性を備えさせることができ、これによって、挿通孔８１ｂへの軸９１ｂの挿通が無理なく容易になし得る。
【００１７】
図７および図８は本発明の他の実施例を示すもので、第１実施例と異なるところは球止板９の腕９ａ，９ｂを長く形成して弾性力を付与するようにしたものである。この実施例の場合、腕９ａ，９ｂをその弾性を利用して互いに内側方向へ撓ませることにより軸９１ａ，９１ｂを球整流板８の軸受部８ａ，８ｂの挿通孔８１ａ，８１ｂに挿通させることができる。このため、軸受部８ｂに第１実施例のような挿入開口８１１ｂを設ける必要がなくなる。また、軸受部８ｂの軸方向の厚みを薄くする必要もなくなり強度的な面で有利となる。
【００１８】
【発明の効果】
以上説明したように、本発明に係るパチンコ機のタンクレールに付設する球整流板と球止板の取付構造は、簡単な構造でタンクレールに球整流板と球止板を直接に取付けて一体化するようにしたものであるから、タンクレールの傾斜勾配を変更する必要が生じてもタンクレールと球整流板および球止板との対応位置関係が変らないため球整流作用や球止め作用に悪影響を及ぼすようなことがなくなる。
【００１９】
また、金属製の軸杆や抜止め用のＥリングの使用を不要としたため、部品点数を削減することができ、作業性の向上、低コスト化等に優れた効果を発揮する。
【図面の簡単な説明】
【図１】本発明が適用されるパチンコ機の裏面図である。
【図２】図１のパチンコ機に装着される機構板の斜視図である。
【図３】本発明の要部の斜視図である。
【図４】タンクレールから球整流板と球止板を取外した状態の斜視図である。
【図５】図４の分解斜視図である。
【図６】本発明の要部の断面図である。
【図７】本発明の他の実施例の要部の斜視図である。
【図８】図６の分解斜視図である。
【図９】従来技術の説明図である。
【図１０】図８の平面図である。
【符号の説明】
５                    タンクレール
８                    球整流板
８ａ，８ｂ            軸受部
８１ａ，８１ｂ        挿通孔
９                    球止板
９１ａ，９１ｂ        軸
１０                  後側壁
１２                  前側壁
１０ａ，１２ａ        支持部
１０１ａ，１２１ａ    透孔
【図１】
0003573786.tif 000002
【図２】
0003573786.tif 000003
【図３】
0003573786.tif 000004
【図４】
0003573786.tif 000005
【図５】
0003573786.tif 000006
【図６】
0003573786.tif 000007
【図７】
0003573786.tif 000008
【図８】
0003573786.tif 000009
【図９】
0003573786.tif 000010
【図１０】
0003573786.tif 000011